【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
生体内の熱的に区別できる対象物の存在または不存在を決定するためのシステムにおいて、生体内の三次元組織領域の非サーモグラフ三次元データを前記組織領域のサーモグラフ二次元データと組合せて前記三次元組織領域と関連した三次元温度データを発生するように構成された複合画像発生器を含むことを特徴とするシステム。
【請求項２】
前記非サーモグラフ三次元データを取得するために構成された非サーモグラフ画像データ取得機能を更に含むことを特徴とする請求項１に記載のシステム。
【請求項３】
前記サーモグラフ二次元データを取得するために構成されたサーモグラフ画像データ取得機能を更に含むことを特徴とする請求項１に記載のシステム。
【請求項４】
前記サーモグラフ二次元データを取得するために構成されたサーモグラフ画像データ取得機能を含むことを特徴とする請求項２に記載のシステム。
【請求項５】
前記非サーモグラフ画像データ取得機能及び前記サーモグラフ画像データ取得機能を含むハウジングを更に含むことを特徴とする請求項３に記載のシステム。
【請求項６】
前記ハウジングを位置変更するように操作可能な配置装置を更に含むことを特徴とする請求項１に記載のシステム。
【請求項７】
前記複合画像発生器が前記三次元温度データに基づいて、三次元組織領域内の熱的に区別できる対象物の場所及び／または方位を計算するために構成された計算装置を含むことを特徴とする請求項１に記載のシステム。
【請求項８】
ディスプレイを更に含み、前記計算装置が、前記ディスプレイと通信可能であり、かつ前記場所及び／または方位を示す視覚的に感知できる三次元出力を前記ディスプレイに伝達するために構成されていることを特徴とする請求項７に記載のシステム。
【請求項９】
前記計算装置と前記ディスプレイの間の前記通信を確立するために構成された通信網を更に含むことを特徴とする請求項８に記載のシステム。
【請求項１０】
前記三次元温度データを少なくとも一つの三次元模型と比較するために構成された比較機能を更に含むことを特徴とする請求項１に記載のシステム。
【請求項１１】
前記計算装置が生体内の熱的に区別できる対象物の場所及び／または方位に関係する空間データを発生するように非サーモグラフ三次元模型を計算するため及び前記非サーモグラフ三次元模型の空間データを計算するために構成されていることを特徴とする請求項７に記載のシステム。
【請求項１２】
前記計算装置が前記非サーモグラフ三次元模型の空間温度データを計算するために構成されていることを特徴とする請求項１１に記載のシステム。
【請求項１３】
前記非サーモグラフ三次元データが複数の二次元画像の組合せを含むことを特徴とする請求項１に記載のシステム。
【請求項１４】
前記非サーモグラフ画像データ取得機能がスチルカメラまたはデジタルカメラを含むことを特徴とする請求項２に記載のシステム。
【請求項１５】
前記非サーモグラフ画像データ取得機能が前記三次元組織領域の表面に関して複数の透視視点から複数の非サーモグラフ二次元データ組を取得するために構成されかつ配置された複数のカメラを含むことを特徴とする請求項２に記載のシステム。
【請求項１６】
前記非サーモグラフ画像データ取得機能が前記非サーモグラフ三次元データを形成するように前記複数の非サーモグラフ二次元データ組を組合せるために構成された組合せ器を含むことを特徴とする請求項１５に記載のシステム。
【請求項１７】
前記サーモグラフ画像データ取得機能が前記三次元組織領域の表面に関して複数の透視視点から複数のサーモグラフ二次元データ組を取得するために構成されかつ配置された複数の赤外カメラを含むことを特徴とする請求項３に記載のシステム。
【請求項１８】
前記複合画像発生器が前記非サーモグラフ三次元データを各サーモグラフ二次元データ組と組合せるために構成されていることを特徴とする請求項１７に記載のシステム。
【請求項１９】
前記熱的に区別できる対象物が腫瘍を含むことを特徴とする請求項１に記載のシステム。
【請求項２０】
前記腫瘍が癌性腫瘍を含むことを特徴とする請求項１９に記載のシステム。
【請求項２１】
前記ディスプレイが眼鏡構造に一緒に組まれた二つのＬＣＤまたは二つのＣＲＴを含むことを特徴とする請求項８に記載のシステム。
【請求項２２】
前記ディスプレイがポインターを表示するように操作可能であることを特徴とする請求項８に記載のシステム。
【請求項２３】
前記非サーモグラフ画像データ取得機能または前記サーモグラフ画像データ取得機能を位置変更するために操作可能な配置装置を更に含むことを特徴とする請求項３に記載のシステム。
【請求項２４】
前記非サーモグラフ画像データ取得機能、前記サーモグラフ画像データ取得機能及び前記複合画像発生器の少なくとも二つの間の前記通信を確立するために構成された通信網を更に含むことを特徴とする請求項３に記載のシステム。
【請求項２５】
生体を位置変更するために操作可能な配置装置を更に含むことを特徴とする請求項１に記載のシステム。
【請求項２６】
生体内の熱的に区別できる対象物の存在または不存在を決定する方法において、生体内の三次元組織領域の非サーモグラフ三次元データを前記組織領域のサーモグラフ二次元データと組合せて前記三次元組織領域と関連した三次元温度データを発生し、それにより熱的に区別できる対象物の存在または不存在を決定することを含むことを特徴とする方法。
【請求項２７】
三次元組織領域内の熱的に区別できる対象物の場所及び／または方位を決定するために前記三次元温度データを使用することを更に含むことを特徴とする請求項２６に記載の方法。
【請求項２８】
前記場所及び／または方位を示す視覚的に感知できる三次元出力を提供することを更に含むことを特徴とする請求項２７に記載の方法。
【請求項２９】
前記三次元温度データを少なくとも一つの三次元模型と比較することを更に含むことを特徴とする請求項２６に記載の方法。
【請求項３０】
前記非サーモグラフ三次元データが複数の二次元画像を組合せることにより得られることを特徴とする請求項２６に記載の方法。
【請求項３１】
前記非サーモグラフ三次元データが可視光カメラを用いて取得された三次元画像を含むことを特徴とする請求項２６に記載の方法。
【請求項３２】
少なくとも一つの非サーモグラフ画像データ取得機能を用いて前記非サーモグラフ三次元データを取得することを更に含むことを特徴とする請求項２６に記載の方法。
【請求項３３】
前記非サーモグラフ三次元データを前記取得することが複数の連続的データ取得工程を含み、方法が前記データ取得機能及び生体の少なくとも一つを連続的データ取得工程間で位置変更をすることを更に含むことを特徴とする請求項３２に記載の方法。
【請求項３４】
前記複数の連続的データ取得工程が第一透視視野で実施される第一の二次元データ取得工程及び第二透視視野で実施される第二の二次元データ取得工程を含み、方法が前記非サーモグラフ三次元データを形成するように前記第一工程及び前記第二工程からの二次元データを組合せることを更に含むことを特徴とする請求項３３に記載の方法。
【請求項３５】
前記非サーモグラフ三次元データを前記取得することが前記三次元組織領域の表面に関して複数の透視視点から非サーモグラフ二次元データ組を同時に取得することを含み、方法が前記非サーモグラフ三次元データを形成するように前記複数の非サーモグラフ二次元データ組を組合せることを更に含むことを特徴とする請求項３２に記載の方法。
【請求項３６】
少なくとも一つのサーモグラフ画像データ取得機能を用いて、前記サーモグラフ二次元データを取得することを更に含むことを特徴とする請求項２６に記載の方法。
【請求項３７】
前記サーモグラフ二次元データを前記取得することが複数の連続的データ取得工程を含み、方法が連続的データ取得工程間で前記データ取得機能及び生体の少なくとも一つを位置変更することを更に含むことを特徴とする請求項３６に記載の方法。
【請求項３８】
前記サーモグラフ二次元データを前記取得することが前記三次元組織領域の表面に関して複数の透視視点からサーモグラフ二次元データ組を同時に取得することを含み、方法が各サーモグラフ二次元データ組を前記非サーモグラフ三次元データと組合せることを更に含むことを特徴とする請求項３６に記載の方法。
【請求項３９】
前記組合せることが各サーモグラフ二次元データ取得工程で取得されたデータが前記非サーモグラフ三次元データと組合されるように実施されることを特徴とする請求項３７に記載の方法。
【請求項４０】
前記組合せることが非サーモグラフ三次元模型を計算すること、及び生体内の熱的に区別できる対象物の場所及び／または方位に関係する空間データを発生するように前記非サーモグラフ三次元模型の空間データを計算することを含むことを特徴とする請求項２６に記載の方法。
【請求項４１】
前記組合せることが前記非サーモグラフ三次元模型の空間温度データを計算することを含むことを特徴とする請求項４０に記載の方法。